(57)【要約】【課題】インクリボンに付与されるバックテンション強度を調整することができ、インクリボンに皺が生じることを抑制することができるテープ印刷装置を提供する。【解決手段】インクリボン６７が巻回された繰出しコア６３と、繰出しコア６３を回転可能に収容したカートリッジケース６５とを備えたテープカートリッジＣが装着されるカートリッジ装着部３と、カートリッジ装着部３に設けられた繰出し軸３３と、繰出し軸３３に回転可能に設けられ、カートリッジ装着部３にテープカートリッジＣが装着されると、繰出しコア６３と一体となって回転可能なように、繰出しコア６３に嵌合する繰出し回転部材４３と、繰出し軸３３に対して繰出し軸３３の軸方向に移動可能に設けられた移動部材４４と、繰出し回転部材４３と移動部材４４との間に設けられ、繰出し回転部材４３をカートリッジ装着部３に向けて押し付ける押付けバネ４５とを備えた。【選択図】図８
2019151063.tif 000002
【特許請求の範囲】
【請求項１】
インクリボンが巻回された繰出しコアと、前記繰出しコアを回転可能に収容したカートリッジケースと、を備えたリボンカートリッジが装着されるカートリッジ装着部と、
前記カートリッジ装着部に設けられた繰出し軸と、
前記繰出し軸に回転可能に設けられ、前記カートリッジ装着部に前記リボンカートリッジが装着されると、前記繰出しコアと一体となって回転可能なように、前記繰出しコアに嵌合する繰出し回転部材と、
前記繰出し軸に対して前記繰出し軸の軸方向に移動可能に設けられた移動部材と、
前記繰出し回転部材と前記移動部材との間に設けられ、前記繰出し回転部材を前記カートリッジ装着部に向けて押し付ける押付けバネと、
を備えたことを特徴とするテープ印刷装置。
【請求項２】
前記繰出し軸は、軸側ネジ部を有し、
前記移動部材は、前記軸側ネジ部と係合する移動側ネジ部、を有することを特徴とする請求項１に記載のテープ印刷装置。
【請求項３】
インクリボンが巻回された繰出しコアと、前記繰出しコアを回転可能に収容したカートリッジケースと、を備えたリボンカートリッジが装着されるカートリッジ装着部と、
前記カートリッジ装着部に設けられ、先端部から軸方向に延びる複数の切込みにより分割された複数の拡開片部を有する筒状に形成されており、前記カートリッジ装着部に前記リボンカートリッジが装着されると、前記繰出しコアに挿入される繰出し軸と、
前記繰出し軸に対して前記繰出し軸の軸方向に移動可能に設けられた移動部材と、を備え、
前記移動部材は、前記繰出し軸の基端部側に向かって先細りとなるテーパー部、を有し、前記テーパー部は、前記繰出し軸の先端側から前記繰出し軸に挿入されて複数の前記拡開片部と係合していることを特徴とするテープ印刷装置。
【請求項４】
前記繰出し軸は、複数の前記拡開片部より前記繰出し軸の基端部側に設けられた軸側ネジ部、を有し、
前記移動部材は、前記テーパー部より前記繰出し軸の基端部側に設けられ、前記繰出し軸の軸方向に移動可能なように、前記軸側ネジ部と係合する移動側ネジ部、を有することを特徴とする請求項３に記載のテープ印刷装置。
【請求項５】
前記カートリッジ装着部を開閉するカバーと、
前記カバーに設けられ、前記カバーが閉められると前記移動部材と係合し、前記移動部材が前記繰出し軸の軸方向に移動するように操作可能なカバー側操作部と、
をさらに備えたことを特徴とする請求項１ないし４のいずれか一項に記載のテープ印刷装置。
【請求項６】
前記カバー側操作部の操作位置に対して前記インクリボンに付与されるバックテンション強度を示すカバー側強度表示部、をさらに備えたことを特徴とする請求項５に記載のテープ印刷装置。
【請求項７】
カートリッジ装着部と、前記カートリッジ装着部に設けられた繰出し軸と、前記繰出し軸に回転可能に設けられた繰出し回転部材と、前記繰出し軸に対して前記繰出し軸の軸方向に移動可能に設けられた移動部材と、前記繰出し回転部材と前記移動部材との間に設けられ、前記繰出し回転部材を前記カートリッジ装着部に向けて押し付ける押付けバネと、を備えたテープ印刷装置の前記カートリッジ装着部に装着されるリボンカートリッジであって、
インクリボンが巻回されており、前記カートリッジ装着部に前記リボンカートリッジが装着されると、前記繰出し回転部材と一体となって回転可能なように、前記繰出し回転部材に嵌合する繰出しコアと、
前記繰出しコアを回転可能に収容したカートリッジケースと、
前記カートリッジケースに設けられ、前記カートリッジ装着部に前記リボンカートリッジが装着されると、前記移動部材と係合し、前記移動部材が前記繰出し軸の軸方向に移動するように操作可能なカートリッジ側操作部と、
を備えたことを特徴とするリボンカートリッジ。
【請求項８】
カートリッジ装着部と、前記カートリッジ装着部から筒状に突出しており、先端部から軸方向に延びる複数の切込みにより分割された複数の拡開片部を有する繰出し軸と、前記繰出し軸に対して前記繰出し軸の軸方向に移動可能に設けられた移動部材と、を備え、前記移動部材は、前記繰出し軸の基端部側に向かって先細りとなるテーパー部、を有し、前記テーパー部は、前記繰出し軸の先端側から前記繰出し軸に挿入されて複数の前記拡開片部と係合しているテープ印刷装置の前記カートリッジ装着部に装着されるリボンカートリッジであって、
インクリボンが巻回されており、前記カートリッジ装着部に前記リボンカートリッジが装着されると、前記繰出し軸が挿入する繰出しコアと、
前記繰出しコアを回転可能に収容したカートリッジケースと、
前記カートリッジケースに設けられ、前記カートリッジ装着部に前記リボンカートリッジが装着されると、前記移動部材と係合し、前記移動部材が前記繰出し軸の軸方向に移動するように操作可能なカートリッジ側操作部と、
を備えたことを特徴とするリボンカートリッジ。
【請求項９】
前記カートリッジ側操作部の操作位置に対して前記インクリボンに付与されるバックテンション強度を示すカートリッジ側強度表示部、をさらに備えたことを特徴とする請求項７または８に記載のテープ印刷装置。
【請求項１０】
カートリッジ装着部と、前記カートリッジ装着部に設けられた繰出し軸と、前記繰出し軸に回転可能に設けられた繰出し回転部材と、前記繰出し軸に対して前記繰出し軸の軸方向に移動可能に設けられた移動部材と、前記繰出し回転部材と前記移動部材との間に設けられ、前記繰出し回転部材を前記カートリッジ装着部に向けて押し付ける押付けバネと、を備えたテープ印刷装置の前記カートリッジ装着部に装着されるリボンカートリッジであって、
インクリボンが巻回されており、前記カートリッジ装着部に前記リボンカートリッジが装着されると、前記繰出し回転部材と一体となって回転可能なように、前記繰出し回転部材に嵌合する繰出しコアと、
前記繰出しコアを回転可能に収容したカートリッジケースと、を備え、
前記リボンカートリッジの装着方向手前側における前記カートリッジケースの壁部には、前記繰出しコアの軸方向から見て前記繰出しコアと重なる位置に、操作開口が設けられていることを特徴とするリボンカートリッジ。
【請求項１１】
カートリッジ装着部と、前記カートリッジ装着部から筒状に突出しており、先端部から軸方向に延びる複数の切込みにより分割された複数の拡開片部を有する繰出し軸と、前記繰出し軸に対して前記繰出し軸の軸方向に移動可能に設けられた移動部材と、を備え、前記移動部材は、前記繰出し軸の基端部側に向かって先細りとなるテーパー部、を有し、前記テーパー部は、前記繰出し軸の先端側から前記繰出し軸に挿入されて複数の前記拡開片部と係合しているテープ印刷装置の前記カートリッジ装着部に装着されるリボンカートリッジであって、
インクリボンが巻回されており、前記カートリッジ装着部に前記リボンカートリッジが装着されると、前記繰出し軸が挿入する繰出しコアと、
前記繰出しコアを回転可能に収容したカートリッジケースと、を備え、
前記リボンカートリッジの装着方向手前側における前記カートリッジケースの壁部には、前記繰出しコアの軸方向から見て前記繰出しコアと重なる位置に、操作開口が設けられていることを特徴とするリボンカートリッジ。
【発明の詳細な説明】
【技術分野】
【０００１】
本発明は、リボンカートリッジが装着されるテープ印刷装置およびリボンカートリッジに関するものである。
【背景技術】
【０００２】
従来、特許文献１が開示するように、インクリボンに皺が生じることを抑制するために、繰出しコア内に設けられたクラッチバネにより、インクリボンにバックテンションを付与するリボンカートリッジが知られている。
【先行技術文献】
【特許文献】
【０００３】
【特許文献１】特開平８−０２５７６８号公報
【発明の概要】
【発明が解決しようとする課題】
【０００４】
従来のリボンカートリッジでは、インクリボンに付与されるバックテンション強度を調整することができない。そのため、例えば、インクリボンに皺が生じやすい印刷パターンで印刷が行われる際に、インクリボンに皺が生じるおそれがある。
【０００５】
本発明は、インクリボンに付与されるバックテンション強度を調整することができ、インクリボンに皺が生じることを抑制することができるテープ印刷装置およびリボンカートリッジを提供することを課題としている。
【課題を解決するための手段】
【０００６】
本発明のテープ印刷装置は、インクリボンが巻回された繰出しコアと、繰出しコアを回転可能に収容したカートリッジケースと、を備えたリボンカートリッジが装着されるカートリッジ装着部と、カートリッジ装着部に設けられた繰出し軸と、繰出し軸に回転可能に設けられ、カートリッジ装着部にリボンカートリッジが装着されると、繰出しコアと一体となって回転可能なように、繰出しコアに嵌合する繰出し回転部材と、繰出し軸に対して繰出し軸の軸方向に移動可能に設けられた移動部材と、繰出し回転部材と移動部材との間に設けられ、繰出し回転部材をカートリッジ装着部に向けて押し付ける押付けバネと、を備えたことを特徴とする。
【０００７】
本発明の他のテープ印刷装置は、インクリボンが巻回された繰出しコアと、繰出しコアを回転可能に収容したカートリッジケースと、を備えたリボンカートリッジが装着されるカートリッジ装着部と、カートリッジ装着部に設けられ、先端部から軸方向に延びる複数の切込みにより分割された複数の拡開片部を有する筒状に形成されており、カートリッジ装着部にリボンカートリッジが装着されると、繰出しコアに挿入される繰出し軸と、繰出し軸に対して繰出し軸の軸方向に移動可能に設けられた移動部材と、を備え、移動部材は、繰出し軸の基端部側に向かって先細りとなるテーパー部、を有し、テーパー部は、繰出し軸の先端側から繰出し軸に挿入されて複数の拡開片部と係合していることを特徴とする。
【０００８】
本発明のリボンカートリッジは、カートリッジ装着部と、カートリッジ装着部に設けられた繰出し軸と、繰出し軸に回転可能に設けられた繰出し回転部材と、繰出し軸に対して繰出し軸の軸方向に移動可能に設けられた移動部材と、繰出し回転部材と移動部材との間に設けられ、繰出し回転部材をカートリッジ装着部に向けて押し付ける押付けバネと、を備えたテープ印刷装置のカートリッジ装着部に装着されるリボンカートリッジであって、インクリボンが巻回されており、カートリッジ装着部にリボンカートリッジが装着されると、繰出し回転部材と一体となって回転可能なように、繰出し回転部材に嵌合する繰出しコアと、繰出しコアを回転可能に収容したカートリッジケースと、カートリッジケースに設けられ、カートリッジ装着部にリボンカートリッジが装着されると、移動部材と係合し、移動部材が繰出し軸の軸方向に移動するように操作可能なカートリッジ側操作部と、を備えたことを特徴とする。
【０００９】
本発明の他のリボンカートリッジは、カートリッジ装着部と、カートリッジ装着部から筒状に突出しており、先端部から軸方向に延びる複数の切込みにより分割された複数の拡開片部を有する繰出し軸と、繰出し軸に対して繰出し軸の軸方向に移動可能に設けられた移動部材と、を備え、移動部材は、繰出し軸の基端部側に向かって先細りとなるテーパー部、を有し、テーパー部は、繰出し軸の先端側から繰出し軸に挿入されて複数の拡開片部と係合しているテープ印刷装置のカートリッジ装着部に装着されるリボンカートリッジであって、インクリボンが巻回されており、カートリッジ装着部にリボンカートリッジが装着されると、繰出し軸が挿入する繰出しコアと、繰出しコアを回転可能に収容したカートリッジケースと、カートリッジケースに設けられ、カートリッジ装着部にリボンカートリッジが装着されると、移動部材と係合し、移動部材が繰出し軸の軸方向に移動するように操作可能なカートリッジ側操作部と、を備えたことを特徴とする。
【００１０】
本発明の他のリボンカートリッジは、カートリッジ装着部と、カートリッジ装着部に設けられた繰出し軸と、繰出し軸に回転可能に設けられた繰出し回転部材と、繰出し軸に対して繰出し軸の軸方向に移動可能に設けられた移動部材と、繰出し回転部材と移動部材との間に設けられ、繰出し回転部材をカートリッジ装着部に向けて押し付ける押付けバネと、を備えたテープ印刷装置のカートリッジ装着部に装着されるリボンカートリッジであって、インクリボンが巻回されており、カートリッジ装着部にリボンカートリッジが装着されると、繰出し回転部材と一体となって回転可能なように、繰出し回転部材に嵌合する繰出しコアと、繰出しコアを回転可能に収容したカートリッジケースと、を備え、リボンカートリッジの装着方向手前側におけるカートリッジケースの壁部には、繰出しコアの軸方向から見て繰出しコアと重なる位置に、操作開口が設けられていることを特徴とする。
【００１１】
本発明の他のリボンカートリッジは、カートリッジ装着部と、カートリッジ装着部から筒状に突出しており、先端部から軸方向に延びる複数の切込みにより分割された複数の拡開片部を有する繰出し軸と、繰出し軸に対して繰出し軸の軸方向に移動可能に設けられた移動部材と、を備え、移動部材は、繰出し軸の基端部側に向かって先細りとなるテーパー部、を有し、テーパー部は、繰出し軸の先端側から繰出し軸に挿入されて複数の拡開片部と係合しているテープ印刷装置のカートリッジ装着部に装着されるリボンカートリッジであって、インクリボンが巻回されており、カートリッジ装着部にリボンカートリッジが装着されると、繰出し軸が挿入する繰出しコアと、繰出しコアを回転可能に収容したカートリッジケースと、を備え、リボンカートリッジの装着方向手前側におけるカートリッジケースの壁部には、繰出しコアの軸方向から見て繰出しコアと重なる位置に、操作開口が設けられていることを特徴とする。
【図面の簡単な説明】
【００１２】
【図１】本発明の第１実施形態に係るテープ印刷装置の外観斜視図である。
【図２】本発明の第１実施形態に係るテープ印刷装置およびテープカートリッジの外観斜視図である。
【図３】カートリッジ装着部およびテープカートリッジを装着方向手前側から見た図である。
【図４】テープカートリッジの装着方向に垂直な断面におけるカートリッジ装着部およびテープカートリッジの断面図である。
【図５】テープカートリッジの斜視図である。
【図６】カートリッジ装着部の斜視図である。
【図７】テープカートリッジの装着方向に平行な断面におけるテープ印刷装置の断面図である。
【図８】図３のＡ−Ａ切断線によるカートリッジ装着部およびテープカートリッジの断面図である。
【図９】テープカートリッジの装着方向に平行な断面におけるテープカートリッジの断面図である。
【図１０】図６において一点鎖線で囲んだ部分の拡大図である。
【図１１】図５において一点鎖線で囲んだ部分の拡大図である。
【図１２】インクリボンに皺が生じやすい印刷パターンの例を示す図である。
【図１３】本発明の第２実施形態に係るテープ印刷装置の一部分を示す図である。
【図１４】テープカートリッジの装着方向に平行な断面におけるテープ印刷装置の断面図である。
【図１５】テープカートリッジの装着方向に平行な断面におけるテープ印刷装置およびテープカートリッジの断面図である。
【図１６】本発明の第３実施形態に係るテープ印刷装置の外観斜視図である。
【図１７】本発明の第３実施形態に係るテープ印刷装置およびテープカートリッジの外観斜視図である。
【図１８】カートリッジ装着部の斜視図である。
【図１９】テープカートリッジの装着方向に平行な断面におけるテープ印刷装置の断面図である。
【図２０】テープカートリッジの装着方向に平行な断面におけるテープ印刷装置およびテープカートリッジの断面図である。
【発明を実施するための形態】
【００１３】
［第１実施形態］
図１および図２に基づいて、本発明の「テープ印刷装置」の第１実施形態に係るテープ印刷装置Ｐの概略構成について説明する。テープ印刷装置Ｐには、テープカートリッジＣが着脱可能に装着される。テープ印刷装置Ｐは、パソコンなどの外部装置から受信した印刷データに基づいて、テープカートリッジＣに収容されたテープ６６（図４参照）に印刷を行う。なお、テープ印刷装置Ｐは、キーボードやタッチパネル式ディスプレーなどの入力部を備え、入力部に対する操作に基づいて、印刷データを生成する構成でもよい。
【００１４】
テープ印刷装置Ｐは、装置ケース１と、装着部カバー２と、カートリッジ装着部３とを備えている。装置ケース１には、印刷済みのテープ６６が排出されるテープ排出口１１が設けられている。装着部カバー２は、装置ケース１に回転可能に設けられており、カートリッジ装着部３を開閉する。カートリッジ装着部３は、テープカートリッジＣが着脱可能に装着される凹部である。
【００１５】
図３ないし図５に基づいて、本発明の「リボンカートリッジ」の一実施形態に係るテープカートリッジＣの概略構成について説明する。図３および図４に示すように、テープカートリッジＣは、テープコア６１と、プラテンローラー６２と、繰出しコア６３と、巻取りコア６４と、これらを回転可能に収容したカートリッジケース６５とを備えている。テープコア６１には、印刷媒体となるテープ６６がロール状に巻かれている。繰出しコア６３には、インクリボン６７がロール状に巻かれている。テープカートリッジＣは、テープコア６１、プラテンローラー６２、繰出しコア６３および巻取りコア６４の各軸方向が、テープカートリッジＣの装着方向と平行になる姿勢で、カートリッジ装着部３に装着される。なお、以下では、テープカートリッジＣの装着方向を、単に「装着方向」という。
【００１６】
カートリッジケース６５には、ヘッド挿入部６８と、ガイド穴６９とが、装着方向に貫通して設けられている。また、カートリッジケース６５の側面には、テープ送出口７１が設けられている。印刷済みのテープ６６は、テープ送出口７１からカートリッジケース６５外へ送り出される。さらに、カートリッジケース６５の装着方向手前側の面には、後述するカートリッジ側操作部７８と、カートリッジ側強度表示部７９とが設けられている。
【００１７】
図５に示すように、カートリッジケース６５の装着方向奥側の面には、挿入開口７２と、２つの位置決め凹部７３と、繰出しフック７４と、巻取りフック７５とが設けられている。挿入開口７２の内部には逆転防止バネ（図示省略）が設けられている。逆転防止バネは、圧縮コイルバネで構成されており、装着方向奥側の端部がテープコア６１と係合することにより、テープコア６１が逆回転することを防止するものである。繰出しフック７４は、繰出しコア６３と係合し、巻取りフック７５は、巻取りコア６４と係合している。これにより、テープカートリッジＣがテープ印刷装置Ｐに装着される前に、繰出しコア６３や巻取りコア６４が回転してインクリボン６７に弛みが生じることが抑制される。
【００１８】
図６および図７に基づいて、カートリッジ装着部３について説明する。カートリッジ装着部３の底面には、サーマルヘッド３１と、プラテン軸３２と、繰出し軸３３と、巻取り軸（図示省略）と、挿入凸部３５と、ガイドピン３６と、２つの位置決め突起３７とが、それぞれ装着方向手前側に突出して設けられている。
【００１９】
サーマルヘッド３１は、ヘッドカバー３８に覆われている。カートリッジ装着部３にテープカートリッジＣが装着されると、ヘッドカバー３８がヘッド挿入部６８に挿入される。サーマルヘッド３１は、プラテンローラー６２との間に挟持されたテープ６６およびインクリボン６７が送られる際に、外部装置から受信した印刷データに基づいて発熱する。これにより、インクリボン６７のインクがテープ６６に転写され、印刷データに基づく文字列がテープ６６に印刷される。
【００２０】
プラテン軸３２には、プラテン回転部材４２が回転可能に設けられている。カートリッジ装着部３にテープカートリッジＣが装着されると、プラテン軸３２がプラテンローラー６２に挿入され、プラテン回転部材４２がプラテンローラー６２に係合する。この状態で、送りモーター（図示省略）が作動すると、プラテン回転部材４２が回転することにより、プラテンローラー６２が回転し、プラテンローラー６２とサーマルヘッド３１との間に挟持されたテープ６６およびインクリボン６７が送られる。
【００２１】
繰出し軸３３は、カートリッジ装着部３にテープカートリッジＣが装着されると、繰出しコア６３に挿入される。繰出し軸３３周りの構成については、後述する。
【００２２】
巻取り軸には、巻取り回転部材（図示省略）が回転可能に設けられている。カートリッジ装着部３にテープカートリッジＣが装着されると、巻取り軸が巻取りコア６４に挿入され、巻取り回転部材が巻取りコア６４に係合する。この状態で、送りモーターが作動すると、巻取り回転部材が回転することにより、巻取りコア６４が回転し、繰出しコア６３から繰り出されたインクリボン６７が巻取りコア６４に巻き取られる。
【００２３】
挿入凸部３５は、カートリッジ装着部３にテープカートリッジＣが装着されると、挿入開口７２に挿入される。これにより、挿入開口７２の内部に設けられた逆転防止バネが圧縮され、逆転防止バネとテープコア６１との係合が解除されることにより、テープコア６１は自由回転が可能となる。
【００２４】
ガイドピン３６は、カートリッジ装着部３にテープカートリッジＣが装着される際に、ガイド穴６９に挿入される。これにより、テープカートリッジＣは、ガイドピン３６によりガイドされながら、カートリッジ装着部３の奥まで装着される。
【００２５】
位置決め突起３７は、カートリッジ装着部３にテープカートリッジＣが装着されると、位置決め凹部７３と嵌合する。これにより、カートリッジ装着部３に対してカートリッジケース６５が位置決めされる。なお、位置決め突起３７の個数や配置は、特に限定されるものではない。同様に、位置決め凹部７３の個数や配置は、特に限定されるものではない。
【００２６】
なお、図示省略したが、カートリッジ装着部３の底面には、繰出し側フック係合突起と、巻取り側フック係合突起とが、それぞれ装着方向手前側に突出して設けられている。繰出し側フック係合突起および巻取り側フック係合突起は、カートリッジ装着部３にテープカートリッジＣが装着されると、繰出しフック７４および巻取りフック７５とそれぞれ係合する。これにより、繰出しフック７４と繰出しコア６３との係合が解除されると共に、巻取りフック７５と巻取りコア６４との係合が解除され、繰出しコア６３および巻取りコア６４が回転可能となる。
【００２７】
図４、図６ないし図８に基づいて、繰出し軸３３周りの構成について説明する。繰出し軸３３は、略円柱状に形成されており、繰出し軸３３の先端部には、雄ネジである軸側ネジ部３３１が設けられている。繰出し軸３３には、繰出し回転部材４３と、移動部材４４と、押付けバネ４５とが設けられている。
【００２８】
繰出し回転部材４３は、略円筒状に形成されており、繰出し軸３３の周囲を回転可能に設けられている。すなわち、繰出し回転部材４３には、繰出し軸３３が挿入されている。繰出し回転部材４３の内径は、繰出し軸３３の外径より僅かに大きく形成されている。このため、繰出し回転部材４３が回転すると、繰出し軸３３の外周面に対して繰出し回転部材４３の内周面が摺動する。換言すれば、繰出し軸３３により、繰出し回転部材４３の回転がガイドされる。
【００２９】
繰出し回転部材４３の外周面には、繰出し回転部材４３の軸方向に延びる複数の装置側係合凸部４３１が設けられている。装置側係合凸部４３１は、カートリッジ装着部３にテープカートリッジＣが装着されると、後述するカートリッジ側係合凸部６３１と係合する。複数の装置側係合凸部４３１は、繰出し回転部材４３の周方向において略均等に分散して設けられている。なお、図示のものでは、装置側係合凸部４３１が４つ設けられているが、その個数は特に限定されるものではない。
【００３０】
移動部材４４は、有蓋円筒状に形成されており、繰出し軸３３の先端部に設けられている。移動部材４４の内周面には、雌ネジである移動側ネジ部４４１が設けられている。移動側ネジ部４４１は、上記の軸側ネジ部３３１と係合している。このため、移動部材４４を回転させると、移動部材４４が、繰出し軸３３に対して繰出し軸３３の軸方向に移動する。移動部材４４の装着方向手前側の面には、移動側操作凹部４４２が形成されている。なお、移動側操作凹部４４２は、図示のものでは略十字状に形成されているが、その形状は特に限定されるものではない。後述するカートリッジ側操作凹部７８３およびカバー側操作凹部２８３についても同様である。
【００３１】
押付けバネ４５は、繰出し回転部材４３と移動部材４４との間に設けられている。押付けバネ４５には、繰出し軸３３の先端部が挿入されている。押付けバネ４５は、自身の弾性力により、繰出し回転部材４３をカートリッジ装着部３に向けて、すなわち装着方向奥側に押し付けている。そして、繰出し回転部材４３が回転すると、押付けバネ４５に対して繰出し回転部材４３が摺動する。押付けバネ４５としては、例えば、圧縮コイルバネを用いることができる。
【００３２】
図４、図５、図８および図９に基づいて、繰出しコア６３について説明する。
【００３３】
繰出しコア６３の回転中心軸は、カートリッジ側操作部７８の回転中心軸と同軸上に設けられている。繰出しコア６３は、略円筒状に形成されており、コア本体６３５と、フック係合部６３６とを備えている。
【００３４】
コア本体６３５には、インクリボン６７が巻回されている。コア本体６３５には、コア凹部６３８と、コア穴６３７とが形成されている。コア凹部６３８は、コア本体６３５の装着方向手前側の端面に形成されている。コア凹部６３８には、カートリッジ装着部３にテープカートリッジＣが装着されると、上記の移動部材４４および押付けバネ４５が位置する。コア穴６３７は、コア凹部６３８の底面中心部から装着方向奥側に延びており、コア凹部６３８より小径に形成されている。コア穴６３７の内周面には、繰出しコア６３の軸方向に延びる複数のカートリッジ側係合凸部６３１が設けられている。カートリッジ側係合凸部６３１は、カートリッジ装着部３にテープカートリッジＣが装着されると、上記の装置側係合凸部４３１と係合する。複数のカートリッジ側係合凸部６３１は、繰出しコア６３の周方向において略均等に分散して設けられている。換言すれば、繰出しコア６３の軸方向に垂直な断面における繰出しコア６３の内周面の断面形状は、繰出し回転部材４３の軸方向に垂直な断面における繰出し回転部材４３の外周面の断面形状と相補的な形状に形成されている。なお、図示のものでは、カートリッジ側係合凸部６３１が、装置側係合凸部４３１に対応して４つ設けられているが、その個数は特に限定されるものではない。また、繰出し回転部材４３および繰出しコア６３は、繰出し回転部材４３の軸方向に垂直な断面における繰出し回転部材４３の外周面の断面形状と、繰出しコア６３の軸方向に垂直な断面における繰出しコア６３の内周面の断面形状とが、相補的な多角形となるように、形成されてもよい。
【００３５】
フック係合部６３６は、コア本体６３５の装着方向奥側の端面に環状に設けられ、コア本体６３５より小径に形成されている。フック係合部６３６は、繰出しコア６３の軸方向に部分的に突出した凹凸状に形成されている。フック係合部６３６には、上記の繰出しフック７４が係合している。
【００３６】
カートリッジケース６５の装着方向奥側の内面には、円筒状に突出したコア載置部７６が設けられている。繰出しコア６３は、フック係合部６３６をコア載置部７６に挿入するようにして、コア載置部７６に載置されている。繰出しコア６３は、コア載置部７６により、カートリッジケース６５内に回転可能に保持されている。
【００３７】
カートリッジ装着部３にテープカートリッジＣが装着されると、繰出し回転部材４３の外周面に設けられた装置側係合凸部４３１が、繰出しコア６３の内周面に設けられたカートリッジ側係合凸部６３１間の溝状の凹部に入るようにして、繰出し回転部材４３が繰出しコア６３に挿入される。これにより、繰出し回転部材４３が繰出しコア６３と一体となって回転可能なように、繰出し回転部材４３を繰出しコア６３に適切に嵌合させることができる。なお、繰出しコア６３からインクリボン６７が繰り出される際に、繰出しコア６３および繰出し回転部材４３は、装着方向手前側から見て時計回り方向に回転するが、以下では、この回転方向を、繰出し回転方向という。
【００３８】
ここで、テープ印刷装置Ｐは、プラテン回転部材４２および巻取り回転部材を回転させる回転機構を備えているが、繰出し回転部材４３を回転させる回転機構を備えていない。すなわち、テープ印刷装置Ｐは、送りモーターの動力をプラテン回転部材４２および巻取り回転部材に伝達する回転機構を備えているが、送りモーター或いは他の駆動源の動力を繰出し回転部材４３に伝達する機構を備えていない。仮に、テープ印刷装置Ｐが駆動源の動力を繰出し回転部材４３に伝達する機構を備えている場合には、インクリボン６７が繰り出される際に、繰出しコア６３の回転に伴って当該機構を構成するギア等も回転するため、それによるトルクロスが生ずる。これに対し、本実施形態では、テープ印刷装置Ｐが駆動源の動力を繰出し回転部材４３に伝達する機構を備えていないため、繰出しコア６３が回転する際にトルクロスが生ずることがない。
【００３９】
図１０および図１１に基づいて、装置側係合凸部４３１およびカートリッジ側係合凸部６３１について説明する。図１０に示すように、装置側係合凸部４３１の装着方向手前側の端面を、装置側係合端面４３２という。また、装置側係合端面４３２において、繰出し回転方向の先方となる端部を、装置側回転先端部４３３という。同様に、装置側係合端面４３２において、繰出し回転方向の後方となる端部を、装置側回転後端部４３４という。装置側係合端面４３２は、装置側回転先端部４３３が装置側回転後端部４３４より装着方向手前側となるように、装着方向に対して斜状に形成されている。
【００４０】
また、図１１に示すように、カートリッジ側係合凸部６３１の装着方向奥側の端面を、カートリッジ側係合端面６３２という。また、カートリッジ側係合端面６３２において、繰出し回転方向の先方となる端部を、カートリッジ側回転先端部６３３という。同様に、カートリッジ側係合端面６３２において、繰出し回転方向の後方となる端部を、カートリッジ側回転後端部６３４という。カートリッジ側係合端面６３２は、カートリッジ側回転先端部６３３がカートリッジ側回転後端部６３４より装着方向手前側となるように、装着方向に対して斜状に形成されている。
【００４１】
このように、装置側係合凸部４３１の装置側係合端面４３２は、装置側回転先端部４３３が装置側回転後端部４３４より装着方向手前側となるように斜状に形成されている。また、カートリッジ側係合凸部６３１のカートリッジ側係合端面６３２は、カートリッジ側回転先端部６３３がカートリッジ側回転後端部６３４より装着方向手前側となるように斜状に形成されている。このため、カートリッジ装着部３にテープカートリッジＣが装着される際に、装置側係合端面４３２にカートリッジ側係合端面６３２が当たると、斜状に形成された装置側係合端面４３２およびカートリッジ側係合端面６３２により、繰出しコア６３が繰出し回転方向とは逆方向に回転するように誘導される。このように、カートリッジ装着部３にテープカートリッジＣが装着される際に、繰出しコア６３が繰出し回転方向に回転することが抑制されるため、繰出しコア６３からインクリボン６７が繰り出されてインクリボン６７に弛みが生じることが抑制される。
【００４２】
図３および図９に基づいて、カートリッジ側操作部７８と、カートリッジ側強度表示部７９とについて説明する。カートリッジ側操作部７８は、繰出しコア６３に付与されるバックテンション強度を調整するためのものである。カートリッジ側操作部７８は、カートリッジケース６５の装着方向手前側の壁部に対し、回転可能に設けられている。カートリッジ側操作部７８は、カートリッジ側頭部７８１と、カートリッジ側胴部７８２とを備えている。カートリッジ側頭部７８１は、略円板状に形成されている。カートリッジ側頭部７８１の装着方向手前側の面には、カートリッジ側操作凹部７８３が設けられている。カートリッジ側胴部７８２は、カートリッジ側頭部７８１より小径の略円柱状に形成されており、カートリッジ側頭部７８１の中心部から装着方向奥側に突出している。カートリッジ側胴部７８２の先端には、カートリッジ側操作凸部７８４が形成されている。なお、カートリッジ側操作凸部７８４は、図示のものでは略十字状に形成されているが、その形状は特に限定されるものではない。後述するカバー側操作凸部２８４についても同様である。
【００４３】
カートリッジケース６５の装着方向手前側の壁部には、カートリッジ側頭部７８１が収まるカートリッジ側座部８１と、カートリッジ側胴部７８２が挿入されたカートリッジ側操作穴８２とが形成されている。カートリッジ側座部８１は、カートリッジ側頭部７８１の厚さより浅い円形の凹状に形成されている。カートリッジ側操作穴８２は、カートリッジ側座部８１の底面中心部からカートリッジケース６５の内側に貫通しており、カートリッジ側座部８１より小径に形成されている。
【００４４】
カートリッジ側強度表示部７９は、カートリッジ側操作部７８の操作位置に対してインクリボン６７に付与されるバックテンション強度を示す。カートリッジ側強度表示部７９は、カートリッジ側マーク７９１と、カートリッジ側目盛り７９２とを備えている。カートリッジ側マーク７９１は、カートリッジ側頭部７８１の装着方向手前側の面に設けられている。カートリッジ側目盛り７９２は、カートリッジケース６５の装着方向手前側の外面において、カートリッジ側座部８１の周縁部に設けられている。カートリッジ側目盛り７９２には、「ＭＩＮ」および「ＭＡＸ」の表示が含まれる。カートリッジ側マーク７９１がカートリッジ側目盛り７９２の「ＭＩＮ」に合致する位置までカートリッジ側操作部７８が回転すると、繰出しコア６３に付与されるバックテンション強度が最小となる。一方、カートリッジ側マーク７９１がカートリッジ側目盛り７９２の「ＭＡＸ」に合致する位置までカートリッジ側操作部７８が回転すると、繰出しコア６３に付与されるバックテンション強度が最大となる。このように、カートリッジ側強度表示部７９により、カートリッジ側操作部７８の操作位置に対して繰出しコア６３に付与されるバックテンション強度がどの程度になるかを、ユーザーに確認させることができる。
【００４５】
図８に示すように、カートリッジ装着部３にテープカートリッジＣが装着されると、繰出しコア６３に繰出し回転部材４３が嵌合すると共に、カートリッジ側操作部７８に設けられたカートリッジ側操作凸部７８４が、移動部材４４に設けられた移動側操作凹部４４２に係合する。これにより、ユーザーが、ドライバー等の工具をカートリッジ側操作凹部７８３に係合させ、カートリッジ側操作部７８を回転させることにより、カートリッジ側操作部７８と係合した移動部材４４が回転し、移動部材４４が繰出し軸３３の軸方向に移動する。また、軸側ネジ部３３１と移動側ネジ部４４１とが係合したネジ機構により、移動部材４４が繰出し軸３３に対して移動する構成であるため、移動部材４４の移動量を容易に微調整することができる。なお、カートリッジ側操作部７８は、工具によらず、指で摘まんで回転可能な構成でもよい。
【００４６】
ここで、移動部材４４が、装着方向奥側、すなわちカートリッジ装着部３の底面に近づく方向に移動すると、移動部材４４と繰出し回転部材４３との間に設けられた押付けバネ４５が圧縮される。これにより、繰出し回転部材４３に対する押付けバネ４５の押付け力が増加するため、押付けバネ４５と繰出し回転部材４３との間の摺動摩擦が増加する。したがって、繰出し回転部材４３と一体となって回転する繰出しコア６３に付与されるバックテンション強度が、増加する。
【００４７】
一方、移動部材４４が、装着方向手前側、すなわちカートリッジ装着部３の底面から離れる方向に移動すると、移動部材４４と繰出し回転部材４３との間に設けられた押付けバネ４５が伸張する。これにより、繰出し回転部材４３に対する押付けバネ４５の押付け力が減少するため、押付けバネ４５と繰出し回転部材４３との間の摺動摩擦が減少する。したがって、繰出し回転部材４３と一体となって回転する繰出しコア６３に付与されるバックテンション強度が、減少する。
【００４８】
このように、移動部材４４を移動させることにより、繰出しコア６３に付与されるバックテンション強度を調整することができる。このため、インクリボン６７に皺が生じるおそれのある場合、例えば、インクリボン６７に皺が生じやすい印刷パターンで印刷が行われる場合には、繰出しコア６３に付与されるバックテンション強度を増加させることで、インクリボン６７に皺が生じることを抑制することができる。また、インクリボン６７に皺が生じるおそれのある場合に、繰出しコア６３に付与されるバックテンション強度を増加させればよいため、常にバックテンション強度が増加された構成に比べて、消費電力を低減させることができる。
【００４９】
なお、インクリボン６７に皺が生じやすい印刷パターンとは、例えば、図１２に示すように、テープ６６の幅方向の一方の端部に印刷が行われた後、これに続いて、テープ６６の幅方向の他方の端部に印刷が行われるような印刷パターンをいう。この場合、サーマルヘッド３１からの加熱によりインクリボン６７に伸びが生じる部分が、インクリボン６７の長さ方向の前後で、インクリボン６７の幅方向にずれることになり、その結果、インクリボン６７に皺が生じやすくなる。
【００５０】
以上のように、第１実施形態のテープ印刷装置Ｐは、カートリッジ装着部３と、繰出し軸３３と、繰出し回転部材４３と、移動部材４４と、押付けバネ４５とを備えている。カートリッジ装着部３には、テープカートリッジＣが装着される。繰出し軸３３は、カートリッジ装着部３に設けられている。繰出し回転部材４３は、繰出し軸３３に回転可能に設けられ、カートリッジ装着部３にテープカートリッジＣが装着されると、繰出しコア６３と一体となって回転可能なように、繰出しコア６３に嵌合する。移動部材４４は、繰出し軸３３に対して繰出し軸３３の軸方向に移動可能に設けられている。押付けバネ４５は、繰出し回転部材４３と移動部材４４との間に設けられ、繰出し回転部材４３をカートリッジ装着部３に向けて押し付ける。
【００５１】
この構成によれば、ユーザーが移動部材４４を繰出し軸３３の軸方向に移動させることで、押付けバネ４５が伸縮し、繰出し回転部材４３に対する押付けバネ４５の押付け力が増減するため、押付けバネ４５と繰出し回転部材４３との間の摺動摩擦が増減する。これにより、繰出し回転部材４３と一体となって回転する繰出しコア６３に付与されるバックテンション強度を調整することができ、インクリボン６７に皺が生じることを抑制することができる。
【００５２】
また、第１実施形態のテープカートリッジＣは、繰出しコア６３と、カートリッジケース６５と、カートリッジ側操作部７８とを備えている。繰出しコア６３は、インクリボン６７が巻回されており、カートリッジ装着部３にテープカートリッジＣが装着されると、繰出し回転部材４３と一体となって回転可能なように、繰出し回転部材４３に嵌合する。カートリッジケース６５は、繰出しコア６３を回転可能に収容する。カートリッジ側操作部７８は、カートリッジケース６５に設けられ、カートリッジ装着部３にテープカートリッジＣが装着されると、移動部材４４と係合し、移動部材４４が繰出し軸３３の軸方向に移動するように操作可能である。
【００５３】
この構成によれば、ユーザーがカートリッジ側操作部７８を操作することで、移動部材４４を繰出し軸３３の軸方向に移動させることができる。これにより、押付けバネ４５が伸縮し、繰出し回転部材４３に対する押付けバネ４５の押付け力が増減するため、押付けバネ４５と繰出し回転部材４３との間の摺動摩擦が増減する。したがって、繰出し回転部材４３と一体となって回転する繰出しコア６３に付与されるバックテンション強度を調整することができ、インクリボン６７に皺が生じることを抑制することができる。
【００５４】
次に、本発明の他の実施形態について説明する。なお、他の実施形態の説明では、第１実施形態と異なる点を中心に説明し、同様の構成部分については、説明を省略する。また、第１実施形態と同様の構成部分について適用される変形例は、他の実施形態についても同様に適用される。
【００５５】
［第２実施形態］
図１３ないし図１５に基づいて、本発明の第２実施形態について説明する。第２実施形態のテープ印刷装置Ｐは、装着部カバー２に回転可能に設けられたカバー側操作部２８を備えている。カバー側操作部２８は、カートリッジ側操作部７８と同様に構成されており、カバー側頭部２８１と、カバー側胴部２８２とを備えている。カバー側頭部２８１の装着方向手前側の面には、カバー側操作凹部２８３が設けられている。カバー側胴部２８２の先端には、カバー側操作凸部２８４が形成されている。装着部カバー２には、カバー側頭部２８１が収まるカバー側座部２１と、カバー側胴部２８２が挿入されたカバー側操作穴２２とが形成されている。また、装着部カバー２には、カバー側強度表示部２９が設けられている。カバー側強度表示部２９は、カートリッジ側強度表示部７９と同様に構成されており、カバー側マーク２９１と、カバー側目盛り２９２とを備えている。
【００５６】
一方、第２実施形態のテープカートリッジＣは、カートリッジ側操作部７８に代えて、カートリッジケース６５の装着方向手前側の壁部に設けられた操作開口８３を備えている。操作開口８３は、装着方向手前側から見て、繰出しコア６３のコア凹部６３８と重なる位置に設けられている。
【００５７】
カートリッジ装着部３にテープカートリッジＣが装着された状態で、装着部カバー２が閉められると、カバー側操作部２８に設けられたカバー側操作凸部２８４が、操作開口８３に挿入され、移動部材４４に設けられた移動側操作凹部４４２に係合する。この状態で、ユーザーが、ドライバー等の工具をカバー側操作凹部２８３に係合させ、カバー側操作部２８を回転させることにより、カバー側操作部２８と係合した移動部材４４が回転し、移動部材４４が繰出し軸３３の軸方向に移動する。これにより、繰出しコア６３に付与されるバックテンション強度を調整することができる。
【００５８】
このように、第２実施形態のテープ印刷装置Ｐでは、装着部カバー２に設けられたカバー側操作部２８を備えている。カバー側操作部２８は、装着部カバー２が閉められると移動部材４４と係合し、移動部材４４が繰出し軸３３の軸方向に移動するように操作可能である。
【００５９】
この構成によれば、ユーザーがカバー側操作部２８を操作することにより、移動部材４４を移動させることができ、繰出しコア６３に付与されるバックテンション強度を調整することができる。なお、ユーザーは、装着部カバー２が開けられた状態で、カートリッジ装着部３に装着されたテープカートリッジＣの操作開口８３を介して、工具を移動部材４４に直接係合させることにより、移動部材４４を回転させ、移動部材４４を繰出し軸３３の軸方向に移動させてもよい。この場合、カートリッジケース６５に操作開口８３が設けられていることで、カートリッジ装着部３にテープカートリッジＣが装着された状態のまま、移動部材４４に工具を係合させることができる。また、後述する第３実施形態のように、カートリッジケース６５にカートリッジ側操作部７８が設けられており、装着部カバー２が閉められると、カートリッジ側操作部７８にカバー側操作部２８が係合する構成でもよい。
【００６０】
［第３実施形態］
図１６ないし図２０に基づいて、本発明の第３実施形態について説明する。第３実施形態のテープ印刷装置Ｐでは、繰出し軸３３が、円筒状に形成されている。繰出し軸３３には、先端部から軸方向に延びる複数の切込み３３２により分割された複数の拡開片部３３３が設けられている。また、繰出し軸３３には、繰出し回転部材４３が設けられておらず、繰出し軸３３の外径は、繰出しコア６３の内径より僅かに小さく形成されている。このため、カートリッジ装着部３にテープカートリッジＣが装着され、インクリボン６７が繰り出されて繰出しコア６３が回転すると、繰出し軸３３の外周面に対して繰出しコア６３の内周面が摺動する。繰出し軸３３の基端部側の内周面には、雌ネジである軸側ネジ部３３１が設けられている。
【００６１】
移動部材４４は、テーパー部４４３と、円柱部４４４とを備えている。テーパー部４４３は、繰出し軸３３の基端部側に向かって先細りとなる形状に形成されている。テーパー部４４３は、繰出し軸３３の先端側から繰出し軸３３に挿入されて複数の拡開片部３３３と係合している。また、テーパー部４４３の装着方向手前側の面には、移動側操作凹部４４２が設けられている。円柱部４４４は、テーパー部４４３の先端から繰出し軸３３の基端部側に延びており、円柱部４４４の先端部には、雄ネジである移動側ネジ部４４１が設けられている。移動側ネジ部４４１は、上記の軸側ネジ部３３１と係合している。このため、移動部材４４を回転させると、移動部材４４が、繰出し軸３３に対して繰出し軸３３の軸方向に移動する。
【００６２】
また、カートリッジケース６５には、第１実施形態と同様に、カートリッジ側操作部７８が回転可能に設けられている。一方、装着部カバー２には、第２実施形態と同様に、カバー側操作部２８が回転可能に設けられている。なお、図１６では、カバー側強度表示部２９が設けられていないが、第２実施形態と同様に、カバー側強度表示部２９が設けられた構成でもよい。
【００６３】
図２０に示すように、カートリッジ装着部３にテープカートリッジＣが装着されると、繰出しコア６３に繰出し軸３３が挿入されると共に、カートリッジ側操作部７８に設けられたカートリッジ側操作凸部７８４が、移動部材４４に設けられた移動側操作凹部４４２に係合する。さらに、装着部カバー２が閉められると、カバー側操作部２８に設けられたカバー側操作凸部２８４が、カートリッジ側操作部７８に設けられたカートリッジ側操作凹部７８３に係合する。この状態で、ユーザーが、ドライバー等の工具をカバー側操作凹部２８３に係合させ、カバー側操作部２８を回転させることにより、カバー側操作部２８と係合したカートリッジ側操作部７８と、カートリッジ側操作部７８と係合した移動部材４４とが回転し、移動部材４４が繰出し軸３３の軸方向に移動する。
【００６４】
ここで、移動部材４４が、装着方向奥側、すなわちカートリッジ装着部３の底面に近づく方向に移動すると、移動部材４４のテーパー部４４３が、繰出し軸３３の拡開片部３３３を、繰出し軸３３の径方向外側に向けて弾性的に拡開させる。これにより、拡開片部３３３と繰出しコア６３の内周面との間の摺動摩擦が増加する。したがって、繰出しコア６３に付与されるバックテンション強度が、増加する。
【００６５】
一方、移動部材４４が、装着方向手前側、すなわちカートリッジ装着部３の底面から離れる方向に移動すると、テーパー部４４３により弾性的に拡開していた拡開片部３３３が、閉じる。これにより、拡開片部３３３と繰出しコア６３の内周面との間の摺動摩擦が減少する。したがって、繰出しコア６３に付与されるバックテンション強度が、減少する。
【００６６】
このように、第３実施形態のテープ印刷装置Ｐは、カートリッジ装着部３と、繰出し軸３３と、移動部材４４とを備えている。カートリッジ装着部３は、テープカートリッジＣが装着される。繰出し軸３３は、カートリッジ装着部３に設けられており、先端部から軸方向に延びる複数の切込み３３２により分割された複数の拡開片部３３３を有する筒状に形成されている。また、繰出し軸３３は、カートリッジ装着部３にテープカートリッジＣが装着されると、繰出しコア６３に挿入される。移動部材４４は、繰出し軸３３に対して繰出し軸３３の軸方向に移動可能設けられている。移動部材４４は、テーパー部４４３を有している。テーパー部４４３は、繰出し軸３３の基端部側に向かって先細りとなる形状に形成されている。テーパー部４４３は、繰出し軸３３の先端側から繰出し軸３３に挿入されて複数の拡開片部３３３と係合している。
【００６７】
この構成によれば、ユーザーが移動部材４４を繰出し軸３３の軸方向に移動させることで、拡開片部３３３が開閉し、拡開片部３３３と繰出しコア６３の内周面との間の摺動摩擦が増減する。これにより、繰出しコア６３に付与されるバックテンション強度を調整することができ、インクリボン６７に皺が生じることを抑制することができる。
【００６８】
また、第３実施形態のテープカートリッジＣは、繰出しコア６３と、カートリッジケース６５と、カートリッジ側操作部７８をと備えている。繰出しコア６３は、インクリボン６７が巻回されており、カートリッジ装着部３にテープカートリッジＣが装着されると、繰出し軸３３が挿入する。カートリッジケース６５は、繰出しコア６３を回転可能に収容する。カートリッジ側操作部７８は、カートリッジケース６５に設けられ、カートリッジ装着部３にテープカートリッジＣが装着されると、移動部材４４と係合し、移動部材４４が繰出し軸３３の軸方向に移動するように操作可能である。
【００６９】
この構成によれば、ユーザーがカバー側操作部２８を介してカートリッジ側操作部７８を操作することで、移動部材４４を繰出し軸３３の軸方向に移動させることができる。これにより、拡開片部３３３が開閉し、拡開片部３３３と繰出しコア６３の内周面との間の摺動摩擦が増減する。したがって、繰出しコア６３に付与されるバックテンション強度を調整することができ、インクリボン６７に皺が生じることを抑制することができる。
【００７０】
なお、第３実施形態では、ユーザーがカバー側操作部２８を介してカートリッジ側操作部７８を操作する構成であるが、第１実施形態と同様に、装着部カバー２にカバー側操作部２８が設けられておらず、ユーザーがカートリッジ側操作部７８を直接操作する構成でもよい。また、第２実施形態と同様に、カートリッジケース６５にはカートリッジ側操作部７８に代えて操作開口８３が設けられており、装着部カバー２が閉められると、カバー側操作部２８に設けられたカバー側操作凸部２８４が、操作開口８３に挿入され、移動部材４４に設けられた移動側操作凹部４４２に係合する構成でもよい。
【００７１】
本発明は、上記の実施形態に限定されず、その趣旨を逸脱しない範囲で種々の構成を採用可能であることは言うまでもない。例えば、上記の実施形態は、上述したほか、以下のような形態に変更することができる。
【００７２】
装着部カバー２にカバー側操作部２８が設けられていないと共に、カートリッジケース６５にカートリッジ側操作部７８が設けられていない構成でもよい。この構成においても、ユーザーは、装着部カバー２が開けられた状態で、カートリッジ装着部３に装着されたテープカートリッジＣの操作開口８３を介して、工具を移動部材４４に直接係合させることにより、移動部材４４を回転させ、移動部材４４を繰出し軸３３の軸方向に移動させることができる。さらに、この場合、カートリッジケース６５に操作開口８３が設けられていない構成でもよい。この構成においても、ユーザーは、カートリッジ装着部３にテープカートリッジＣが装着されていない状態で、移動部材４４を回転させることが可能である。なお、上記の実施形態においても、ユーザーは、カートリッジ装着部３にテープカートリッジＣが装着されていない状態で、移動部材４４を回転させてもよい。
【００７３】
上記の実施形態では、移動部材４４および繰出し軸３３に移動側ネジ部４４１および軸側ネジ部３３１がそれぞれ設けられており、移動部材４４を回転させることにより、繰出し軸３３に対して移動部材４４を移動させる構成であるが、繰出し軸３３に対して移動部材４４を移動させる構成はこれに限定されるものではない。例えば、繰出し軸３３に対して移動部材４４が摺動可能なように、移動部材４４が繰出し軸３３に嵌合した構成でもよい。
【００７４】
本実施形態のテープカートリッジＣは、テープ６６およびインクリボン６７を収容しているが、テープ６６を収容していなくてもよい。すなわち、本発明は、テープ６６およびインクリボン６７のうち、インクリボン６７のみを収容したリボンカートリッジにも適用可能である。
【符号の説明】
【００７５】
３…カートリッジ装着部、３１…サーマルヘッド、３３…繰出し軸、４３…繰出し回転部材、４４…移動部材、４５…押付けバネ、６２…プラテンローラー、６３…繰出しコア、６５…カートリッジケース、６７…インクリボン、７６…コア載置部、７８…カートリッジ側操作部、３３１…軸側ネジ部、４３１…装置側係合凸部、４４２…移動側操作凹部、６３５…コア本体、６３６…フック係合部、６３７…コア穴、６３８…コア凹部、７８３…カートリッジ側操作凹部、７８４…カートリッジ側操作凸部、Ｃ…テープカートリッジ。
【図１】
2019151063.tif 000003
【図２】
2019151063.tif 000004
【図３】
2019151063.tif 000005
【図４】
2019151063.tif 000006
【図５】
2019151063.tif 000007
【図６】
2019151063.tif 000008
【図７】
2019151063.tif 000009
【図８】
2019151063.tif 000010
【図９】
2019151063.tif 000011
【図１０】
2019151063.tif 000012
【図１１】
2019151063.tif 000013
【図１２】
2019151063.tif 000014
【図１３】
2019151063.tif 000015
【図１４】
2019151063.tif 000016
【図１５】
2019151063.tif 000017
【図１６】
2019151063.tif 000018
【図１７】
2019151063.tif 000019
【図１８】
2019151063.tif 000020
【図１９】
2019151063.tif 000021
【図２０】
2019151063.tif 000022